(57)【要約】表示装置は、映像が表示される表示領域と、非表示領域の周辺領域とを含む。前記表示装置は、ベース基板と、前記ベース基板上に前記表示領域に配置される第１のデータラインと、前記ベース基板上に少なくとも一部が前記表示領域に配置され、連結コンタクトホールを介して、前記第１のデータラインと電気的に連結される第１の連結ラインと、前記周辺領域に配置されるデータパッド部と、前記データパッド部と前記表示領域との間の前記周辺領域に配置され、前記第１の連結ライン及び前記データパッドと電気的に連結される第１のデータスパイダーラインとを含む。
2021530746.tif 000002
【特許請求の範囲】
【請求項１】
映像が表示される表示領域と、非表示領域の周辺領域とを含む表示装置であって、
ベース基板と、
前記ベース基板上にて前記表示領域に配置される第１のデータラインと、
前記ベース基板上にて少なくとも一部が前記表示領域に配置され、連結コンタクトホールを介して、前記第１のデータラインと電気的に連結される第１の連結ラインと、
前記周辺領域に配置されるデータパッド部と、
前記データパッド部と前記表示領域との間の前記周辺領域に配置され、前記第１の連結ライン及び前記データパッドと電気的に連結される第１のデータスパイダーラインとを含むことを特徴とする表示装置。
【請求項２】
前記ベース基板は、可撓性基板であり、
前記表示装置は、前記データパッド部と前記表示領域の間に配置され、前記表示領域の縁に平行な第１の方向に延びる、折り曲げ領域を更に含み、
前記第１のデータスパイダーラインは、前記折り曲げ領域と前記表示領域との間の前記周辺領域に配置され、前記第１の方向に垂直な第２の方向に一直線に延びることを特徴とする請求項１に記載の表示装置。
【請求項３】
前記折り曲げ領域の前記第１の方向への長さは、前記表示領域の前記第１の方向への長さによりも小さいことを特徴とする請求項２に記載の表示装置。
【請求項４】
前記ベース基板上にて前記表示領域に配置され、前記第１のデータラインと平行に延びる複数のデータラインと、
前記データパッド部と前記表示領域の間の前記周辺領域に配置され、それぞれの前記複数のデータラインと電気的に連結され、前記第１のデータスパイダーラインと平行に延びる複数のデータスパイダーラインとを更に含み、
前記第１のデータスパイダーライン及び前記複数のデータスパイダーラインは、前記第２の方向に延びることを特徴とする請求項２に記載の表示装置。
【請求項５】
前記連結コンタクトホールは、前記周辺領域に配置されることを特徴とする請求項１に記載の表示装置。
【請求項６】
前記第１のデータラインは、第１の方向に垂直な第２の方向に延び、
前記第１の連結ラインは、前記第２の方向に延びる第１の部分と、前記第１の部分に連結され、前記第１の方向に延びる第２の部分と、前記第１の部分と平行な第３の部分とを含むことを特徴とする請求項５に記載の表示装置。
【請求項７】
前記連結コンタクトホールは、前記表示領域内に配置されることを特徴とする請求項１に記載の表示装置。
【請求項８】
前記ベース基板上にて前記表示領域に配置され、前記第１のデータラインに隣接して配置される第２のデータラインを更に含み、
前記第１及び第２のデータラインは、前記周辺領域で互いに連結され、前記第１の連結ラインと電気的に連結されることを特徴とする請求項１に記載の表示装置。
【請求項９】
前記第１のデータラインと平行であり、前記第１の方向に沿って順次に配列される第ｎ−１番目のデータライン、第ｎ番目のデータライン、及び第ｎ＋１番目のデータラインを更に含み、
前記データパッドには、前記第１の方向に沿って前記第ｎ番目のデータラインと電気的に連結される第ｎのパッド、前記第ｎ−１番目のデータラインと電気的に連結される第ｎ−１のパッド、前記第ｎ＋１番目のデータラインと電気的に連結される第ｎ＋１のパッド、及び前記第１のデータラインと電気的に連結される第ｎのパッドが配置されることを特徴とする請求項１に記載の表示装置。
【請求項１０】
前記ベース基板上に少なくとも一部が前記表示領域に配置され、連結コンタクトホールを介して、前記第ｎ−１番目のデータラインと電気的に連結される第ｎ−１番目の連結ラインと、
前記データパッド部と前記表示領域との間の前記周辺領域に配置され、前記第ｎ−１番目の連結ライン及び前記データパッドと電気的に連結される第ｎ−１番目のデータスパイダーラインと、
前記データパッド部と前記表示領域との間の前記周辺領域に配置され、前記第ｎ番目のデータライン及び前記データパッドと電気的に連結される第ｎ番目のデータスパイダーラインと、
前記データパッド部と前記表示領域との間の前記周辺領域に配置され、前記第ｎ＋１番目のデータライン及び前記データパッドと電気的に連結される第ｎ＋１番目のデータスパイダーラインとを更に含むことを特徴とする請求項９に記載の表示装置。
【請求項１１】
前記周辺領域は、前記表示領域の左側に隣接する左側周辺領域と、前記表示領域の右側に隣接する右側周辺領域と、前記表示領域の上側に隣接する上側周辺領域と、前記表示領域の下側に隣接する下側周辺領域とを含み、
前記データパッド部は、下側周辺領域に配置されることを特徴とする請求項１に記載の表示装置。
【請求項１２】
更に、前記第１のデータラインと電気的に連結される薄膜トランジスタと、
前記薄膜トランジスタと電気的に連結される第１の電極と、
前記第１の電極の上に配置される第２の電極と、
前記第１の電極と前記第２の電極との間に配置される発光層とを含むことを特徴とする請求項１に記載の表示装置。
【請求項１３】
前記第１の連結電極と重なって配置されるシールド電極を更に含み、
前記シールド電極には、第１の電源(ELVDD)又は第２の電源(ELVSS)が加えられることを特徴とする請求項１２に記載の表示装置。
【請求項１４】
前記第１の連結ラインと、前記第１のスパイダーラインとは、前記周辺領域に形成されるスパイダーコンタクトホールを介して、互いに連結されることを特徴とする請求項１に記載の表示装置。
【請求項１５】
ベース基板と、
前記ベース基板上に配置される薄膜トランジスタと、
前記薄膜トランジスタと電気的に連結される第１のデータラインと、
前記第１のデータラインと電気的に連結される第１の連結ラインと、
前記第１のデータラインと前記第１の連結ラインとの間に配置され、前記データラインと前記第１の連結ラインとが互いに連結される第１の連結コンタクトホールが形成された第１の絶縁層と、
前記第１の連結ラインと重なるシールド電極とを含むことを特徴とする表示装置。
【請求項１６】
前記薄膜トランジスタは、前記ベース基板上に配置されるアクティブパターンと、前記アクティブパターンと重なるゲート電極とを含み、
更に、前記ゲート電極と同一の層に形成され、前記第１の連結ラインと電気的に連結される第１のデータスパイダーラインを含むことを特徴とする請求項１５に記載の表示装置。
【請求項１７】
前記シールド電極は、前記薄膜トランジスタと前記連結ラインとの間に配置されることを特徴とする請求項１５に記載の表示装置。
【請求項１８】
前記シールド電極は、前記第１のデータラインと重なることを特徴とする請求項１５に記載の表示装置。
【請求項１９】
前記第１のデータラインと隣接して平行に延びる第２のデータラインを更に含み、
前記第１のデータライン及び前記第２のデータラインは、前記第１の連結ラインに電気的に連結され、
前記シールド電極は、前記第１のデータライン及び前記第２のデータラインと重なることを特徴とする請求項１５に記載の表示装置。
【請求項２０】
ベース基板と、
前記ベース基板上に配置される第１のデータライン及び第２のデータラインと、
前記第１のデータラインとコンタクトホールを介して連結される連結ラインと、
前記第１の連結ラインとコンタクトホールを介して連結される第１のスパイダーラインと、
前記第２のデータラインとコンタクトホールを介して連結される第２のスパイダーラインと、
前記第１のスパイダーライン及び前記第２のスパイダーラインに電気的に連結され、データ駆動チップが連結されるデータパッドとを含むことを特徴とする表示装置。
【発明の詳細な説明】
【技術分野】
【０００１】
本発明は、表示装置に関し、より詳しくは、非表示領域である周辺領域が減少した表示装置に関する。
【背景技術】
【０００２】
近年、技術の発展に伴い、小型化、軽量化されるとともに、性能は更に優れているディスプレイ製品が生産されている。今までのディスプレイ装置には、従来のブラウン管テレビ(CRT)が、性能や価格面で多くのメリットをもって広く使用されていたのであるが、小型化又は携帯性の側面から、ＣＲＴの不都合を克服し、小型化、軽量化、及び低電力消費などのメリットを有する表示装置、例えば、プラズマ表示装置、液晶表示装置、及び有機発光表示装置などが注目を受けている。
【０００３】
前記表示装置は、映像が表示される表示領域と、前記表示領域の周りの、非表示領域である周辺領域とを含む。ここで、前記周辺領域の幅を減らすための工夫がなされてきた。
【発明の概要】
【発明が解決しようとする課題】
【０００４】
本発明は、前記のような問題を解決するためになされたもので、本発明の目的は、非表示領域である周辺領域が減少した表示装置を提供することである。
【課題を解決するための手段】
【０００５】
前述した本発明の目的を実現するための一実施例による表示装置は、映像が表示される表示領域と、非表示領域の周辺領域とを含む表示装置であって、ベース基板と、前記ベース基板上にて前記表示領域に配置される第１のデータラインと、前記ベース基板上にて少なくとも一部が前記表示領域に配置され、連結コンタクトホールを介して、前記第１のデータラインと電気的に連結される第１の連結ラインと、前記周辺領域に配置されるデータパッド部と、前記データパッド部と前記表示領域との間の前記周辺領域に配置され、前記第１の連結ライン及び前記データパッドと電気的に連結される第１のデータスパイダーラインとを含むことを特徴とする。
【０００６】
前記ベース基板は、可撓性基板であり、前記表示装置は、前記データパッド部と前記表示領域の間に配置され、前記表示領域の縁に平行な第１の方向に延びる、折り曲げ領域を更に含み、前記第１のデータスパイダーラインは、前記折り曲げ領域と前記表示領域との間の前記周辺領域に配置され、前記第１の方向に垂直な第２の方向に一直線に延びる。
【０００７】
前記折り曲げ領域の前記第１の方向への長さは、前記表示領域の前記第１の方向への長さによりも小さい。
【０００８】
前記ベース基板上にて前記表示領域に配置され、前記第１のデータラインと平行に延びる複数のデータラインと、前記データパッド部と前記表示領域との間の前記周辺領域に配置され、それぞれの前記複数のデータラインと電気的に連結され、前記第１のデータスパイダーラインと平行に延びる複数のデータスパイダーラインとを更に含み、前記第１のデータスパイダーライン及び前記複数のデータスパイダーラインは、前記第２の方向に延びる。
【０００９】
前記連結コンタクトホールは、前記周辺領域に配置される。
【００１０】
前記第１のデータラインは、第１の方向に垂直な第２の方向に延び、前記第１の連結ラインは、前記第２の方向に延びる第１の部分と、前記第１の部分に連結され、前記第１の方向に延びる第２の部分と、前記第１の部分と平行な第３の部分とを含む。
【００１１】
前記連結コンタクトホールは、前記表示領域内に配置される。
【００１２】
前記ベース基板上にて前記表示領域に配置され、前記第１のデータラインに隣接して配置される第２のデータラインを更に含み、前記第１及び第２のデータラインは、前記周辺領域で互いに連結され、前記第１の連結ラインと電気的に連結される。
【００１３】
前記第１のデータラインと平行であり、前記第１の方向に沿って順次に配列される第ｎ−１番目のデータライン、第ｎ番目のデータライン、及び第ｎ＋１番目のデータラインを更に含み、前記データパッドには、前記第１の方向に沿って、前記第ｎ番目のデータラインと電気的に連結される第ｎのパッド、前記第ｎ−１番目のデータラインと電気的に連結される第ｎ−１のパッド、前記第ｎ＋１番目のデータラインと電気的に連結される第ｎ＋１のパッド、及び前記第１のデータラインと電気的に連結される第ｎのパッドが配置される。
【００１４】
前記ベース基板上に少なくとも一部が前記表示領域に配置され、連結コンタクトホールを介して、前記第ｎ−１番目のデータラインと電気的に連結される第ｎ−１番目の連結ラインと、前記データパッド部と前記表示領域との間の前記周辺領域に配置され、前記第ｎ−１番目の連結ライン及び前記データパッドと電気的に連結される第ｎ−１番目のデータスパイダーラインと、前記データパッド部と前記表示領域との間の前記周辺領域に配置され、前記第ｎ番目のデータライン及び前記データパッドと電気的に連結される第ｎ番目のデータスパイダーラインと、前記データパッド部と前記表示領域との間の前記周辺領域に配置され、前記第ｎ＋１番目のデータライン及び前記データパッドと電気的に連結される第ｎ＋１番目のデータスパイダーラインとを更に含む。
【００１５】
前記周辺領域は、前記表示領域の左側に隣接する左側周辺領域と、前記表示領域の右側に隣接する右側周辺領域と、前記表示領域の上側に隣接する上側周辺領域と、前記表示領域の下側に隣接する下側周辺領域とを含み、前記データパッド部は、下側周辺領域に配置される。
【００１６】
前記第１のデータラインと電気的に連結される薄膜トランジスタと、前記薄膜トランジスタと電気的に連結される第１の電極と、前記第１の電極上に配置される第２の電極と、前記第１の電極と前記第２の電極との間に配置される発光層とを更に含む。
【００１７】
前記第１の連結電極と重なって配置されるシールド電極を更に含み、前記シールド電極には、第１の電源(ELVDD)又は第２の電源(ELVSS)が与えられる。
【００１８】
前記第１の連結ラインと、前記第１のスパイダーラインとは、前記周辺領域に形成されるスパイダーコンタクトホールを介して、互いに連結される。
【００１９】
また、前述した本発明の目的を実現するための一実施例による表示装置は、ベース基板と、前記ベース基板上に配置される薄膜トランジスタと、前記薄膜トランジスタと電気的に連結される第１のデータラインと、前記第１のデータラインと電気的に連結される第１の連結ラインと、前記第１のデータラインと前記第１の連結ラインとの間に配置され、前記データラインと前記第１の連結ラインとが互いに連結される第１の連結コンタクトホールが形成された第１の絶縁層と、前記第１の連結ラインと重なるシールド電極とを含むことを特徴とする。
【００２０】
前記薄膜トランジスタは、前記ベース基板上に配置されるアクティブパターンと、前記アクティブパターンと重なるゲート電極とを含み、更に、前記ゲート電極と同一層に形成され、前記第１の連結ラインと電気的に連結される第１のデータスパイダーラインを含む。
【００２１】
前記シールド電極は、前記薄膜トランジスタと前記連結ラインとの間に配置される。
【００２２】
前記シールド電極は、前記第１のデータラインと重なる。
【００２３】
前記第１のデータラインと隣接して平行に延びる第２のデータラインを更に含み、前記第１のデータライン及び前記第２のデータラインは、前記第１の連結ラインに電気的に連結され、前記シールド電極は、前記第１のデータライン及び前記第２のデータラインと重なる。
【００２４】
前述した本発明の目的を実現するための一実施例による表示装置は、ベース基板と、前記ベース基板上に配置される第１のデータライン及び第２のデータラインと、前記第１のデータラインとコンタクトホールを介して連結される連結ラインと、前記第１の連結ラインとコンタクトホールを介して連結される第１のスパイダーラインと、前記第２のデータラインとコンタクトホールを介して連結される第２のスパイダーラインと、前記第１のスパイダーライン及び前記第２のスパイダーラインに電気的に連結され、データ駆動チップが連結されるデータパッドとを含むことを特徴とする。
【発明の効果】
【００２５】
本発明によると、前記表示装置は、映像が表示される表示領域と、非表示領域の周辺領域とを含む。前記表示装置は、ベース基板と、前記ベース基板上にて前記表示領域に配置される第１のデータラインと、前記ベース基板上にて少なくとも一部が前記表示領域に配置され、連結コンタクトホールを介して、前記第１のデータラインと電気的に連結される第１の連結ラインと、前記周辺領域に配置されるデータパッド部と、前記データパッド部と前記表示領域との間の前記周辺領域に配置され、前記第１の連結ライン及び前記データパッドと電気的に連結される第１のデータスパイダーラインとを含む。前記第１の連結ラインが、前記周辺領域ではなく、前記表示領域内に配置されるので、前記周辺部の幅を減らして、非表示領域であるベゼル部分を減らした表示装置を具現することができる。
【００２６】
但し、本発明の効果は、これに限定されるものではなく、本発明の思想及び領域から逸脱しない範囲で様々に拡張される。
【図面の簡単な説明】
【００２７】
【図１】図１は、本発明の一実施例による表示装置の平面図である。
【図２】図２は、図１の本発明の一実施例による画素及び駆動部の実施例を示すブロック図である。
【図３】図３は、図２における画素の実施例を示す図である。
【図４】図４は、図１の表示装置の左下部の拡大図である。
【図５】図５は、図４の表示装置のデータライン及び連結ラインの連結関係を説明するための図である。
【図６】図６は、図４のI-I'線に沿う表示装置の断面図である。
【図７】図７は、図４のII-II'線に沿う表示装置の一部層に対する断面図である。
【図８】図８は、本発明の一実施例による表示装置の断面図である。
【図９】図９は、本発明の一実施例による表示装置の左下部の拡大図である。
【図１０】図１０は、図９の表示装置のデータライン及び連結ラインの連結関係を説明するための図である。
【図１１】図１１は、本発明の一実施例による表示装置のデータライン及び連結ラインの連結関係を説明するための図である。
【図１２】図１２は、本発明の一実施例による表示装置の断面図である。
【図１３】図１３は、本発明の一実施例による表示装置の断面図である。
【図１４】図１４は、本発明の一実施例による表示装置の断面図である。
【図１５】図１５は、本発明の一実施例による表示装置の断面図である。
【図１６】図１６は、本発明の実施例による電子機器を示すブロック図である。
【図１７ａ】図１７ａは、図１６の電子機器がテレビとして具現された一例を示す図である。
【図１７ｂ】図１７ｂは、図１６の電子機器がスマートフォンとして具現された一例を示す図である。
【発明を実施するための形態】
【００２８】
以下、図面を参照して、本発明の好適な実施例をより詳しく説明することにする。
【００２９】
図１は、本発明の一実施例による表示装置の平面図である。
【００３０】
図１を参照するならば、前記表示装置は、映像が表示される表示領域(AA)と、前記表示領域(AA)に隣接し前記表示領域(AA)を取り囲む、非表示領域の周辺領域(PA)とを含みうる。前記表示領域(AA)は、第１の方向(D1)、及び前記第１の方向(D1)に垂直な第２の方向(D2)がなす平面上にて、四角形状をなし、前記表示領域(AA)の隅角は、丸められた形状でありうる。本実施例において、前記表示領域(AA)は、丸められた隅角を有する四角形状であるが、これに限定されない。
【００３１】
前記周辺領域(PA)は、前記表示領域(AA)の左側に隣接する左側周辺領域と、前記表示領域(AA)の右側に隣接する右側周辺領域と、前記表示領域(AA)の上側に隣接する上側周辺領域と、前記表示領域(AA)の下側に隣接する下側周辺領域とを含みうる。
【００３２】
ここで、前記下側周辺領域に、駆動部を連結するためのデータパッド(COP)及びゲートパッド(FOP)が配置されるので、前記下側周辺領域は、前記の上側、左側、及び右側の周辺領域よりも大きな幅に形成されうる。前記下側周辺領域は、前記表示領域(AA)に直接に隣接する第１の周辺領域(PAa)と、折り曲げ領域(BA)と、第２の周辺領域(PAb)とを含みうる。前記データパッド(COP)及び前記ゲートパッド(FOP)は、前記第２の周辺領域(PAb)に配置されうる。
【００３３】
前記折り曲げ領域(BA)は、前記第２の周辺領域(PAb)を前記表示装置の後面（背面）に配置させるために折り曲げられる部分であり、前記第１の周辺領域(PAa)と前記第２の周辺領域(PAb)との間に配置されうる。
【００３４】
ここで、前記折り曲げ領域(BA)についての前記第１の方向(D1)への長さは、前記表示領域(AA)についての前記第１の方向(D1)への長さよりも小さいのでありうる。これに伴い、下側周辺領域に配置されるデータスパイダーライン(DSPL)よりも、前記第１の方向(D1)への外側に位置するデータラインは、連結ライン(CL)を介して、前記データスパイダーライン(DSPL)と連結されうる。
【００３５】
前記データスパイダーライン(DSPL)は、前記表示領域(AA)内のデータライン、及び、前記データパッド(COP)と電気的に連結されうる。一方、前記下側周辺領域における前記データスパイダーライン(DSPL)と隣接する箇所には、スキャン駆動部又はデータ駆動部と連結されるとともにゲートパッド(COP)と連結される、ゲートスパイダーライン(GSPL)が配置されうる。
【００３６】
前記データパッド(COP)には、データ駆動部を含むチップが連結されうる。前記ゲートパッド(COP)には、タイミング制御部を含む駆動基板が連結されうる。
【００３７】
図２は、図１の本発明の一実施例による画素及び駆動部の実施例を示すブロック図である。図３は、図２における画素の実施例を示す図である。図４は、図１の表示装置の左下部の拡大図である。図５は、図４の表示装置のデータライン及び連結ラインの連結関係を説明するための図である。
【００３８】
図１〜図５に示しているように、前記表示装置は、複数の画素(PX)と、駆動部と、配線部とを含む。
【００３９】
前記駆動部は、スキャン駆動部(SDV)と、発光駆動部(EDV)と、データ駆動部(DD)と、タイミング制御部(TC)とを含む。図２において、前記スキャン駆動部(SDV)、前記発光駆動部(EDV)、前記データ駆動部(DDV)、及び前記タイミング制御部(TC)の位置は、説明の便宜のために設定されたのであり、実際の表示装置を具現する場合は、表示装置内における他の位置に配置してもよい。
【００４０】
前記配線部は、前記駆動部の信号を各画素(PX)に提供するのであり、複数のスキャンライン(SL)と、複数のデータライン(DL1, DLn-1, DLn、DLn+1)と、複数の発光制御ライン(EL)と、複数の第１及び第２の電源ライン(図示せず)と、初期化電源ライン(図示せず)とを含む。
【００４１】
前記スキャンライン、前記データライン、及び前記発光制御ラインは、それぞれの画素(PX)に電気的に連結される。
【００４２】
前記の複数の画素(PX)は、前記複数のスキャンライン(SL)からスキャン信号が供給される際に、複数のデータライン(DL1, DLn-1, DLn、DLn+1)からデータ信号の供給を受ける。前記データ信号が供給された前記の複数の画素(PX)は、第１の電源(ELVDD)から有機発光素子(図示せず)を経て第２の電源(ELVSS)へと流れる電流の量を制御することができる。
【００４３】
前記スキャン駆動部(SDV)は、前記タイミング制御部(TC)からの第１のゲート制御信号(GCS1)に対応して、前記スキャンライン(SL)にスキャン信号を供給しうる。前記複数のスキャンライン(SL)にスキャン信号が順次に供給されると、前記の複数の画素(PX)が、水平ライン単位で順次に選択されうる。
【００４４】
前記発光駆動部(EDV)は、前記タイミング制御部(TC)からの第２のゲート制御信号(GCS２)に対応して、前記発光制御ライン(EL)に発光制御信号を供給する。前記発光駆動部(EDV)は、前記発光制御ライン(EL)に、発光制御信号を順次に供給することができる。
【００４５】
更に、前記発光制御信号は、前記の複数の画素(PX)に含まれるトランジスタがオフに切り換えられるように、ゲートオフ電圧(例えば、ハイ電圧)に設定されるのであり、スキャン信号は、複数の画素(PXL)に含まれるトランジスタがオンに切り換えられるように、ゲートオン電圧(例えば、ロー電圧)に設定される。
【００４６】
前記データ駆動部(DDV)は、データ制御信号(DCS)に対応して、前記複数のデータライン(DL1, DLn-1, DLn、DLn+1)にデータ信号を供給する。前記複数のデータライン(DL1, DLn-1,DLn、DLn+1)に供給された前記データ信号は、前記スキャン信号により選択された複数の画素(PX)へと供給される。
【００４７】
前記タイミング制御部(TC)は、外部から供給されるタイミング信号に基づいて生成された前記第１及び第２のゲート制御信号(GCS1、GCS2)を、前記スキャン駆動部(SDV)及び前記発光駆動部(EDV)に供給し、データ制御信号(DCS)を、前記データ駆動部(DD)に供給する。
【００４８】
前記第１及び第２のゲート制御信号(GCS1、GCS2)のそれぞれには、スタートパルス及びクロック信号が含まれうる。前記スタートパルスは、初回のスキャン信号又は初回の発光制御信号のタイミングを制御することができる。前記クロック信号は、前記スタートパルスをシフトするために用いられうる。
【００４９】
前記データ制御信号(DCS)には、前記スタートパルス及び前記クロック信号が含まれうる。前記スタートパルスは、データのサンプリング開始時点を制御する。前記クロック信号は、サンプリング動作を制御するために用いられうる。
【００５０】
ここで、前記データラインは、第１のデータライン(DL1)と、第ｎ−１番目のデータライン(DLn-1)と、第ｎ番目のデータライン(DLn)と、第ｎ＋１番目のデータライン(DLn+1)とを含みうる。
【００５１】
前記第１のデータライン(DL1)、前記第ｎ−１番目のデータライン(DLn-1)、前記第ｎ番目のデータライン(DLn)、及び前記第ｎ＋１番目のデータライン(DLn+1)は、第１の方向(D1)に沿って配列されるとともに、前記第１の方向(D1)に垂直な第２の方向(D2)に沿って延びるのでありうる。
【００５２】
前記データラインは、連結コンタクトホール(CCNT)を介して連結ライン(CL)と連結されるのであり、前記連結ライン(CL)は、スパイダーコンタクトホール(SCNT)を介して、スパイダーライン(SPDL)と連結されたりするのであり、前記データラインは、スパイダーコンタクトホール(SCNT)を介して、スパイダーライン(SPDL)と直接連結されうる。
【００５３】
例えば、前記第１のデータライン(DL1)は、第１の連結コンタクトホール(CCNT1)を介して、第１の連結ライン(CL)と連結されうる。前記連結コンタクトホールは、前記周辺領域(PA)内に形成されうる。前記第１の連結ライン(CL)は、前記表示領域(AA)を通り過ぎて、前記周辺領域(PA)にて、第１のデータスパイダーライン(DSPL1)と第１のスパイダーコンタクトホール(SCNT1)を介して連結されうる。ここで、前記第１の連結ライン(CL)は、前記第２の方向(D2)に延びる第１の部分(CL1a)と、前記第１の部分(CL1a)と連結され、前記第１の方向(D2)に延びる第２の部分(CL1b)と、前記第１の部分(CL1a)に平行な第３の部分(CL1c)とを含みうる。
【００５４】
前記第ｎ−１番目のデータライン(DL1)は、前記表示領域(AA)の下側の前記周辺領域(PA)内において、連結コンタクトホール(CCNT)を介して、第ｎ−１番目の連結ライン(CLn-1)と連結されうる。前記第ｎ−１番目の連結ライン(CLn-1)は、前記表示領域(AA)を通り過ぎて、前記周辺領域(PA)において、データスパイダーライン(DSPL)とスパイダーコンタクトホール(SCNT)を介して連結されうる。
【００５５】
一方、前記第ｎ番目のデータライン(DLn)及び前記第ｎ＋１番目のデータライン(DLn+1)は、連結ラインを介さずに、前記周辺領域(PA)にて、データスパイダーライン(DSPL)に、スパイダーコンタクトホール(SCNT)を介して直接連結されうる。図５においては、ｎが５８９である場合が概念的に示されている。
【００５６】
ここで、前記の複数のデータスパイダーライン(DSPL1, DSPL)は、前記折り曲げ領域(BA)と前記表示領域(AA)との間の前記周辺領域(PA)において、それぞれが前記第２の方向に延び、互いに平行に配置される。これにより、前記データスパイダーライン(DSPL1, DSPL)が、前記第２の方向(D2)に所定の角度折れた形状である従来技術と比較して、前記の複数のデータスパイダーライン(DSPL1, DSPL)における相互間の距離を十分確保することができ、これによって、前記データスパイダーライン(DSPL1, DSPL)の配線抵抗を減らすことができる。
【００５７】
本実施例によると、前記表示装置は、映像が表示される表示領域と、非表示領域である周辺領域とを含む。前記表示装置は、ベース基板と、前記ベース基板上にて前記表示領域に配置される第１のデータラインと、前記ベース基板上にて少なくとも一部が前記表示領域に配置され、連結コンタクトホールを介して、前記第１のデータラインに電気的に連結される第１の連結ラインと、前記周辺領域に配置されるデータパッド部と、前記データパッド部と前記表示領域との間の前記周辺領域に配置されて、前記第１の連結ライン及び前記データパッドに電気的に連結される第１のデータスパイダーラインとを含む。前記第１の連結ラインが、前記周辺領域ではなく、前記表示領域内に配置されるので、前記周辺部の幅を減らして、非表示領域であるベゼル部分を減らした表示装置を具現することができる。
【００５８】
一方、本実施例において、前記スキャン駆動部(SDV)は、表示領域(AA)の左側に隣接する周辺領域(PA)に配置され、前記発光駆動部(EDV)は、前記表示領域(AA)の右側に隣接する周辺領域(PA)に配置されるものとして説明したが、これに限定されるものではない。例えば、左側及び右側の周辺領域のいずれにも、スキャンライン及び発光制御ラインでもって互いに連結されるスキャン駆動部及び発光駆動部が配置され、画素に、左側及び右側から、互いに同期化した信号を供給するようにすることができる。
【００５９】
図３を再び参照すると、説明の便宜のために、第ｍのデータライン(Dm)、及びｉ番目の第１のスキャンライン(S1i)に接続された画素を示すこととしている。
【００６０】
本発明の実施例による画素(PX)は、有機発光素子(OLED)と、第１のトランジスタ(T1)乃至第７のトランジスタ(T7)と、蓄積キャパシタ(Cst)とを備えうる。
【００６１】
前記有機発光素子(OLED)のアノードは、前記第６のトランジスタ(T6)を経て、前記第１のトランジスタ(T1)に接続され、カソードは、第２の電源(ELVSS)に接続されうる。このような有機発光素子(OLED)は、前記第１のトランジスタ(T1)から供給される電流量に対応して、所定輝度の光を生成することができる。
【００６２】
前記有機発光素子(OLED)に電流が流れうるように、第１の電源(ELVDD)は、第２の電源(ELVSS)よりも高い電圧に設定されうる。
【００６３】
前記第７のトランジスタ(T7)は、初期化電源(Vint)と、前記有機発光素子(OLED)のアノードとの間に接続されうる。そして、前記第７のトランジスタ(T7)のゲート電極は、ｉ＋１番目の第１のスキャンライン(S1i+1)、又はｉ−１番目の第１のスキャンライン(S1i-1)に接続されうる。このような前記第７のトランジスタ(T7)は、ｉ番目の第１のスキャンライン(S1i)にスキャン信号が供給されるとき、オンとなり、初期化電源(Vint)の電圧を前記有機発光素子(OLED)のアノードに供給することができる。ここで、初期化電源(Vint)は、データ信号よりも低い電圧に設定されうる。
【００６４】
前記第６のトランジスタ(T6)は、前記第１のトランジスタ(T1)と前記有機発光素子(OLED)との間に接続される。そして、前記第６のトランジスタ(T6)のゲート電極は、ｉ番目の第１の発光制御ライン(E1i)に接続されうる。このような第６のトランジスタ(T6)は、ｉ番目の第１の発光制御ライン(E1i)に発光制御信号が供給されるとき、オフとなり、その他の場合、オンとなる。
【００６５】
前記第５のトランジスタ(T5)は、前記第１の電源(ELVDD)と前記第１のトランジスタ(T1)との間に接続される。そして、前記第５のトランジスタ(T5)のゲート電極は、ｉ番目の第１の発光制御ライン(E1i)に接続される。このような前記第５のトランジスタ(T5)は、ｉ番目の第１の発光制御ライン(E1i)に発光制御信号が供給されるとき、オフとなり、その他の場合、オンとなる。
【００６６】
前記第１のトランジスタ(T1; 駆動トランジスタ)の第１の電極は、前記第５のトランジスタ(T5)を経て、第１の電源(ELVDD)に接続され、第２の電極は、前記第６のトランジスタ(T6)を経て、前記有機発光素子(OLED)のアノードに接続される。そして、前記第１のトランジスタ(T1)のゲート電極は、第１のノード(N1)に接続される。このような前記第１のトランジスタ(T1)は、第１のノード(N1)の電圧に対応して、前記第１の電源(ELVDD)から前記有機発光素子(OLED)を経て、前記第２の電源(ELVSS)に流れる電流の量を制御することができる。
【００６７】
前記第３のトランジスタ(T3)は、前記第１のトランジスタ(T1)の第２の電極と、前記第１のノード(N1)との間に接続されうる。そして、前記第３のトランジスタ(T3)のゲート電極は、ｉ番目の第１のスキャンライン(S1i)に接続される。このような前記第３のトランジスタ(T3)は、ｉ番目の第１のスキャンライン(S1i)にスキャン信号が供給されるとき、オンとなり、前記第１のトランジスタ(T1)の第２の電極と、第１のノード(N1)とを電気的に接続させることができる。したがって、前記第３のトランジスタ(T3)がオンとなるとき、第１のトランジスタ(T1)は、ダイオードの形態に接続されうる。
【００６８】
前記第４のトランジスタ(T4)は、第１のノード(N1)と初期化電源(Vint)の間に接続されうる。そして、前記第４のトランジスタ(T4)のゲート電極は、i−１番目の第１のスキャンライン(S1i-1)に接続されうる。このような前記第４のトランジスタ(T4)は、i−１番目の第１のスキャンライン(S1i-1)にスキャン信号が供給されるとき、オンとなり、前記第１のノード(N1)に初期化電源(Vint)の電圧を供給することができる。
【００６９】
前記第２のトランジスタ(T2)は、第ｍのデータライン(Dm)と、第１のトランジスタ(T1)の第１の電極との間に接続されうる。そして、前記第２のトランジスタ(T2)のゲート電極は、ｉ番目の第１のスキャンライン(S1i)に接続されうる。このような前記第２のトランジスタ(T2)は、ｉ番目の第１のスキャンライン(S1i)にスキャン信号が供給されるとき、オンとなり、第ｍのデータライン(Dm)と、前記第１のトランジスタ(T1)の第１の電極とを電気的に接続させることができる。
【００７０】
前記蓄積キャパシタ(Cst)は、前記第１の電源(ELVDD)と、前記第１のノード(N1)との間に接続される。このような蓄積キャパシタ(Cst)は、データ信号及び前記第１のトランジスタ(T1)のしきい値電圧に対応する電圧を格納することができる。
【００７１】
図６は、図４のI-I'線に沿う表示装置の断面図である。図７は、図４のII-II'線に
沿う表示装置の一部層に対する断面図である。
【００７２】
図４〜図７に示しているように、前記表示装置は、ベース基板１００と、バッファ層１１０と、アクティブパターン(ACT)と、第１のゲート絶縁層１２０と、第１のゲートパターン、第２のゲート絶縁層１３０と、第２のゲートパターン(GAT2)と、層間絶縁層１４０と、第１のデータパターンと、第１の絶縁層１６０と、連結ラインパターンと、第２の絶縁層１７０と、画素区画膜(PDL)と、発光構造物１８０と、薄膜封止層(TFE)とを含みうる。
【００７３】
前記ベース基板１００は、透明絶縁基板を含みうる。例えば、前記ベース基板１００は、可撓性の前記透明樹脂基板であり得る。前記透明樹脂基板は、ポリイミド系樹脂、アクリル系樹脂、ポリアクリレート系樹脂、ポリカーボネート系樹脂、ポリエーテル系樹脂、スルホン酸系樹脂、ポリエチレンテレフタレート系樹脂などを含む。好ましくは、前記ベース基板１００は、ポリイミド(PI)樹脂フィルムである。
【００７４】
前記バッファ層１１０は、前記ベース基板１００から金属原子や不純物が拡散する現象を防止し、後述するアクティブパターン(ACT)を形成するための結晶化工程の期間中に、熱の伝達速度を調節して、実質的に均一なアクティブパターン(ACT)を得るようにしうる。また、前記バッファ層１１０は、前記ベース基板１００の表面にムラがある場合、前記ベース基板１００の表面の平坦度を向上させる役割を果たすのでもありうる。前記バッファ層１１０は、シリコン酸化物(SiOx)、シリコン窒化物(SiNx)、シリコン酸窒化物(SiOxNy)、シリコン酸炭化物(SiOxCy)、シリコン炭窒化物(SiCxNy)などのシリコン化合物を用いて形成されうる。
【００７５】
前記バッファ層１１０は、前記周辺領域(PA)の折り曲げ領域(BA)に対しては、形成されないのでありうる。すなわち、前記バッファ層１１０が、前記折り曲げ領域(FA)には、形成されないか、除去されるのでありうる。これは、前記折り曲げ領域(BA)が、最終製品における折り曲げられる箇所であるので、無機膜である前記バッファ層１１０が前記折り曲げ領域(BA)に形成されると、前記バッファ層１１０にクラックなどの損傷が生じうるからである。これと同様に、無機膜で形成される絶縁層１２０、１３０などは、前記折り曲げ領域(BA)に対しては、形成されないのでありうる。
【００７６】
前記アクティブパターン(ACT1, ACT2)が、前記バッファ層１１０上に配置されうる。前記アクティブパターン(ACT1, ACT2)は、前記表示領域(DA)内に配置されて画素構造をなす薄膜トランジスタ(TFT2, TFT6)、及び、前記周辺領域(PA)内に配置されて駆動回路をなすアクティブパターン(図示せず)を含みうる。前記駆動回路は、ASG(アモルファスシリコンゲート)回路であり得る。
【００７７】
前記薄膜トランジスタ(TFT2, TFT6)におけるそれぞれの前記アクティブパターン(ACT1, ACT2)は、不純物がドープされたドレイン領域(D2, D6)及びソース領域(S2, S6)、及び、前記ドレイン領域(D2, D6)と前記ソース領域(S2, S6)との間のチャンネル領域(C2, C6)を含む。前記薄膜トランジスタ(TFT2, TFT6)は、それぞれ、図３の第２のトランジスタ及び第６のトランジスタである。
【００７８】
前記第１のゲート絶縁層１２０は、前記アクティブパターン(ACT1, ACT2)が配置された前記バッファ層１１０上に配置されうる。前記第１のゲート絶縁層１２０は、シリコン化合物、金属酸化物などを含みうる。
【００７９】
前記第１のゲートパターンは、前記第１のゲート絶縁層１２０上に配置されうる。前記第１のゲートパターンは、前記薄膜トランジスタ(TFT2, TFT6)のゲート電極(GE)、及び前記画素を駆動するための信号を伝達するゲートラインのような信号ラインなどを含みうる。前記第１のゲートパターンは、金属、合金、金属窒化物、導電性金属酸化物、透明導電性物質などを用いて形成されうる。例えば、前記第１のゲートパターンは、銅、アルミニウム、モリブデンなどの金属から形成されうる。また、前記第１のゲートパターンは、複数の層状構造を有することができる。例えば、前記ゲート導電パターンは、銅層、及び前記銅層上のモリブデン層を含みうる。
【００８０】
前記第２のゲート絶縁層１３０は、前記第１のゲートパターンが配置された前記第１のゲート絶縁層１２０上に配置されうる。前記第２のゲート絶縁層１３０は、シリコン酸化物(SiOx)、シリコン窒化物(SiNx)、シリコン酸窒化物(SiOxNy)、シリコン酸炭化物(SiOxCy)、シリコン炭窒化物(SiCxNy)などのシリコン化合物を用いて形成されうる。
【００８１】
前記第２のゲートパターン(GAT2)が、前記第２のゲート絶縁層１３０上に配置されうる。前記第２のゲートパターン(GAT2)は、金属、合金、金属窒化物、導電性金属酸化物、透明導電性物質などを用いて形成されうる。例えば、前記第２のゲートパターン(GAT2)は、銅、アルミニウム、モリブデンなどの金属から形成されうる。また、前記第２のゲートパターン(GAT2)は、複数の層状構造を有することができる。例えば、前記第２のゲートパターン(GAT2)は、銅層、及び前記銅層上のモリブデン層を含みうる。
【００８２】
ここで、データスパイダーライン(DSPL)は、前記第１のゲートパターン及び前記第２のゲートパターンに交互に形成可能である。すなわち、図７に示しているように、隣接する２つのデータスパイダーライン(DSPL)は、互いに異なる層に形成されて、それぞれのデータスパイダーライン(DSPL)の線幅を最大化することができ、これにより、１つのデータスパイダーライン(DSPL)を配置させるための幅(W)を最小化することができる。
【００８３】
前記層間絶縁層１４０は、前記第２のゲートパターン(GAT2)が配置された前記第２のゲート絶縁層１３０上に配置されうる。
【００８４】
前記第１のデータパターンが、前記層間絶縁層１４０上に配置されうる。前記第１のデータパターンは、データライン(DL)と、シールド電極(SH)と、第１のコンタクトパッド(CP1)とを含みうる。前記第１のデータパターンは、金属、合金、金属窒化物、導電性金属酸化物、透明導電性物質などを用いて形成されうる。例えば、前記第１のデータパターンは、伝導性の高い銅、アルミニウムなどの金属からなる。前記第１のデータパターンは、複数の層状構造を有することができる。例えば、前記第１のデータパターンは、チタン層、前記チタン層上のアルミニウム層、及び前記アルミニウム層上のチタンを含みうる。
【００８５】
前記シールド電極(SH)には、第１の電源電圧(ELVDD)が加えられて、前記第１の連結ライン(CL)と、他の画素構造との間のカップリングキャパシタの形成を防止することができる。前記シールド電極(SH)は、前記薄膜トランジスタ(TFT)と、前記第１の連結ライン(CL1)との間に配置されうる。前記シールド電極(SH)は、前記データライン(DL)に平行に延びる第１の電源配線の一部であり得る。
【００８６】
一方、詳細に示していないが、前記第１のデータパターンは、前記折り曲げ領域(BA)にて、スパイダーライン(DSPL)を構成する配線を含みうる。すなわち、前記スパイダーライン(DSPL)は、前記折り曲げ領域(BA)にて、前記第１のデータパターンで形成され、前記連結ライン(CL)と連結される部分では、前記第１又は第２のゲートパターンで形成され、これらが互いにコンタクトホールを介して、連結されうる。
【００８７】
前記第１の絶縁層１６０は、前記第１のデータパターンが配置された前記層間絶縁層１４０上に配置されうる。前記層間絶縁層１４０は、有機絶縁物質を含み、前記第１のデータパターンを十分に覆うことで、実質的に平坦な上面を有することができる。
【００８８】
前記第１の絶縁層１６０上に、前記連結ラインパターンが配置される。前記連結ラインパターンは、第１の連結ライン(CL1)と、第２のコンタクトパッド(CP2)とを含みうる。前記連結ラインパターンは、金属、合金、金属窒化物、導電性金属酸化物、透明導電性物質などを用いて形成されうる。
【００８９】
前記第２の絶縁層１７０は、前記連結ラインパターンが配置された前記第１の絶縁層１６０上に配置されうる。前記第２の絶縁層１７０は、有機絶縁物質を含み、前記連結ラインパターンを十分に覆うことで、実質的に平坦な上面を有することができる。
【００９０】
前記発光構造物１８０は、第１の電極１８１と、発光層１８２と、第２の電極１８３とを含みうる。
【００９１】
前記第１の電極１８１は、前記第２の絶縁層１７０上に配置される。前記第１の電極１８１は、前記第２の絶縁層１７０を通じて形成されるコンタクトホールを介して、前記薄膜トランジスタ(TFT6)に電気的に連結される。例えば、前記第１の電極１８１は、前記第２のコンタクトパッド(CP2)及び前記第１のコンタクトパッド(CP1)を介して、前記薄膜トランジスタ(TFT6)に連結される。
【００９２】
前記表示装置の発光方式に応じて、前記第１の電極１８１は、反射性を有する物質又は透光性を有する物質を用いて形成されうる。例えば、前記第１の電極１８１は、アルミニウム、アルミニウムを含有する合金、アルミニウム窒化物、銀、銀を含有する合金、タングステン、タングステン窒化物、銅、銅を含有する合金、ニッケル、クロム、クロム窒化物、モリブデン、モリブデンを含有する合金、チタン、チタン窒化物、白金、タンタル、タンタル窒化物、ネオジム、スカンジウム、ストロンチウムルテニウム酸化物、亜鉛酸化物、インジウム錫酸化物、錫酸化物、インジウム酸化物、ガリウム酸化物、インジウム亜鉛酸化物などを含みうる。これらは、単独又は互いに組み合わせて使用されうる。例示的な実施例において、前記第１の電極１８１は、金属膜、合金膜、金属窒化物膜、導電性金属酸化物膜、及び/又は透明導電性物質膜を含む単層構造又は積層構造から形成されうる。
【００９３】
前記画素区画膜(PDL)は、前記第１の電極１８１が配置された前記第２の絶縁層１７０上に配置されうる。前記画素区画膜(PDL)は、有機物質、無機物質などを用いて形成されうる。例えば、前記画素区画膜(PDL)は、フォトレジスト、ポリアクリル系樹脂、ポリイミド系樹脂、アクリル系樹脂、シリコン化合物などを用いて形成されうる。例示的な実施例によると、前記画素区画膜(PDL)をエッチングして、前記第１の電極１８１を部分的に露出させる開口を形成することができる。このような前記画素区画膜(PDL)の開口により、前記表示装置の表示領域と非表示領域を区画することができる。例えば、前記画素区画膜(PDL)の開口が位置する部分が、前記表示領域に該当し、前記非表示領域は、前記画素区画膜(PDL)における開口に隣接する部分に該当する。
【００９４】
前記発光層１８２は、前記画素区画膜(PDL)の開口を通じて露出する前記第１の電極１８１上に配置されうる。また、前記発光層１８２は、前記画素区画膜(PDL)における前記開口の側壁上へ延在しうる。例示的な実施例において、前記発光層１８２は、有機発光層(EL)、正孔注入層(HIL)、正孔輸送層(HTL)、電子輸送層(ETL)、電子注入層(EIL)などを含む積層構造を有することができる。他の実施例において、前記有機発光層を除き、前記正孔注入層、前記正孔輸送層、前記電子輸送層、及び前記電子注入層などは、複数の画素に対応するように数の画素に共通に形成されうる。前記発光層１８２の有機発光層は、前記表示装置の各画素によって、赤色光、緑色光、青色光などのような互いに異なる色光を発生させる発光物質を用いて形成されうる。他の例示的な実施例によると、前記発光層１８２の有機発光層は、赤色光、緑色光、青色光などの異なる色光を具現する複数の発光物質が積層されて、白色光を発光する構造を有することもできる。ここで、前記発光構造物は、複数の画素に対応するように共通に形成され、前記カラーフィルタ層により、それぞれの画素が区分されるのでありうる。
【００９５】
前記第２の電極１８３は、前記画素区画膜(PDL)及び前記発光層１８２の上に配置されうる。前記表示装置の発光方式に応じて、前記第２の電極１８３は、透光性を有する物質、又は反射性を有する物質を含みうる。例えば、前記第２の電極１８３は、アルミニウム、アルミニウムを含有する合金、アルミニウム窒化物、銀、銀を含有する合金、タングステン、タングステン窒化物、銅、銅を含有する合金、ニッケル、クロム、クロム窒化物、モリブデン、モリブデンを含有する合金、チタン、チタン窒化物、白金、タンタル、タンタル窒化物、ネオジム、スカンジウム、ストロンチウムルテニウム酸化物、亜鉛酸化物、インジウム錫酸化物、錫酸化物、インジウム酸化物、ガリウム酸化物、インジウム亜鉛酸化物などを含みうる。これらは、単独又は互いに組み合わせて使用することができる。例示的な実施例において、前記第２の電極１８３も、金属膜、合金膜、金属窒化物膜、導電性金属酸化物膜、及び/又は透明導電性物質膜を含む単層構造又は積層構造で形成することができる。
【００９６】
前記薄膜封止層(TFE)が、前記第２の電極１８３上に配置されうる。前記薄膜封止層(TFE)は、外部からの湿気及び酸素の浸透を防止することができる。前記薄膜封止層(TFE)は、少なくとも１つの有機層と、少なくとも１つの無機層とを備えうる。少なくとも１つの有機層と少なくとも１つの無機層は、互いに交互に積層されうる。例えば、前記薄膜封止層(TFE)は、２つの無機層と、これらの間の１つの有機層とを含むことができるが、これに限定されない。他の実施例において、前記薄膜封止層の代わりに、外気及び水分が前記表示装置内に浸透することを遮断するための封止基板を提供することができる。
【００９７】
図８は、本発明の一実施例による表示装置の断面図である。
【００９８】
図８に示しているように、前記表示装置は、無機絶縁層１５０を更に含み、シールド電極(SH)がデータライン(DL)と重なることを除き、図６の表示装置と同様である。そこで、繰り返しの説明は、省略することにする。
【００９９】
前記表示装置は、層間絶縁層１４０と第１の絶縁層１６０との間に配置される無機絶縁層１５０を更に含みうる。前記無機絶縁層１５０は、無機絶縁物質を含むことができる。
【０１００】
前記シールド電極(SH)は、第１の連結ライン(CL1)及びデータライン(DL)と重なりうる。これにより、前記シールド電極(SH)が、前記第１の連結ライン(CL1)だけではなく、前記データライン(DL)もシールドして、他の画素構造との間のカップリングキャパシタの形成を防止することができる。
【０１０１】
図９は、本発明の一実施例による表示装置の左下部の拡大図である。図１０は、図９の表示装置におけるデータラインと連結ラインとの連結関係を説明するための図である。
【０１０２】
図１、図９及び図１０に示しているように、前記表示装置は、連結ラインとデータラインとが連結される連結コンタクトホールが、周辺領域ではなく、表示領域に配置されるということと、これに伴い、データスパイダーラインに電気的に連結される複数のデータラインが順次に配置されるということを除くと、図４及び５の表示装置と同様である。そこで、繰り返しの説明は、省略することにする。
【０１０３】
第１の連結ライン(CL1)は、表示領域(AA)内に配置される第１の連結コンタクトホール(CCNT1)を介して、第１のデータライン(DL1)と連結されうる。前記第１の連結ライン(CL1)は、第１の方向(D1)に延びる部分(CL1b)と、第１の方向(D1)に垂直な第２の方向(D2)に延びる部分(CL1c)とを含みうる。
【０１０４】
図１０を再び参照すると、前記データライン(DATA LINE)は、前記データスパイダーライン(DATA SPIDER LINE)の配列順と同じ順で互いに電気的に連結されうる。これにより、図４及び５の表示装置とは異なり、前記データスパイダーラインに連結されるデータ駆動チップにおける出力信号の順番を変更する必要がなく、一般的なものとして設計されたデータ駆動チップをそのまま使用することができる。
【０１０５】
図１１は、本発明の一実施例による表示装置におけるデータライン及び連結ラインとの連結関係を説明するための図である。
【０１０６】
図１１を参照すると、前記表示装置は、２つのデータライン(DATA LINE)あたり、１つの連結ライン(CONNECTING LINE)が連結されることを除き、図４及び５の表示装置と同様である。前記２つのデータラインあたり、１つの連結ライン及び１つのデータスパイダーライン(DATA SPIDER LINE)が対応するので、例えば、デマルチプレクサー(demultiplexer、demux)の構造が適用された表示装置などが該当しうる。これにより、表示領域に配置される連結ラインの数を減らすことができる。
【０１０７】
図１２乃至図１５は、本発明のそれぞれの一実施例による表示装置の断面図である。
【０１０８】
図１２〜図１５には、連結ライン(CL)、データライン(DL＿E、DL＿0)、及びシールド電極(SH)の位置が多様に変更された表示装置の実施例が示されている。ここで、前記データラインは、偶数番目のデータライン(DL＿E)及び奇数番目のデータライン(DL＿0)を含み、１つの画素に２つのデータラインが対応するＴＤＬ(two data line)構造、デマルチプレクサー(demultiplexer、demux)構造などが適用された表示装置などが該当する。
【０１０９】
図１６は、本発明の実施例による電子機器を示すブロック図であり、図１７ａは、図１６の電子機器がテレビとして具現された一例を示し、図１７ｂは、図１６の電子機器がスマートフォンとして具現された一例を示している。
【０１１０】
図１６〜図１７ｂを参照すると、電子機器５００は、プロセッサ５１０と、メモリ装置５２０と、ストレージ装置５３０と、入出力装置５４０と、パワーサプライ５５０と、表示装置５６０とを含む。ここで、前記表示装置５６０は、図１の表示装置に対応しうる。前記電子機器５００は、ビデオカード、サウンドカード、メモリカード、ＵＳＢ装置などと通信するか、又は他のシステムと通信可能な複数のポート(port)を更に含むことができる。一実施例において、図１１ａに示しているように、前記電子機器５００は、テレビとして具現されうる。他の実施例において、図１１ｂに示しているように、前記電子機器５００は、スマートフォンとして具現されうる。但し、これは例示に過ぎず、前記電子機器５００は、それに限定されない。例えば、前記電子機器５００は、携帯電話、ビデオフォン、スマートパッド、スマートウォッチ、タブレットＰＣ、車両用ナビゲーション、コンピュータモニタ、ノート型パソコン、ヘッドマウントディスプレイ(head mounted display; HMD)などとして具現可能である。
【０１１１】
前記プロセッサ５１０は、特定の計算又はタスク(task)を行うことができる。実施例によって、前記プロセッサ５１０は、マイクロプロセッサ、中央処理ユニット(CPU)、アプリケーションプロセッサ(AP)などでありうる。前記プロセッサ５１０は、アドレスバス、制御バス、及びデータバスなどを介して、他の構成要素に連結されうる。実施例によって、前記プロセッサ５１０は、周辺構成要素相互接続(Peripheral Component Interconnect; PCI)バスのような拡張バスにも連結されうる。前記メモリ装置５２０は、前記電子機器５００の動作に必要なデータを格納しうる。例えば、前記メモリ装置５２０は、ＥＰＲＯＭ(Erasable Programmable Read-Only Memory)装置、ＥＥＰＲＯＭ(Electrically Erasable Programmable Read-Only Memory)装置、フラッシュメモリ装置、ＰＲＡＭ(Phase Change Random Access Memory)装置、ＲeＲＡＭ(Resistance Random Access Memory)装置、ＮＦＧＭ(Nano Floating Gate Memory)装置、ＰｏＲＡＭ(Polymer Random Access Memory)装置、ＭＲＡＭ(Magnetic Random Access Memory)、ＦeＲＡＭ(Ferroelectric Random Access Memory)装置などのような不揮発性メモリ装置、及び/又はＤＲＡＭ(Dynamic Random Access Memory)装置、ＳＲＡＭ(Static Random Access Memory)装置、モバイルＤＲＡＭ装置などのような揮発性メモリ装置を含みうる。前記ストレージ装置５３０は、ソリッドステートドライブ(Solid State Drive; ＳＳＤ)、ハードディスクドライブ(Hard Disk Drive; ＨＤＤ)、ＣＤ−ＲＯＭなどを含みうる。前記入出力装置５４０は、キーボード、キーパッド、タッチパッド、タッチスクリーン、マウスなどといった入力手段、及びスピーカー、プリンターなどのといった出力手段を含む。前記パワーサプライ５５０は、前記電子機器５００の動作に必要なパワーを供給しうる。
【０１１２】
前記表示装置５６０は、前記バス又は他の通信リンクを通じて、他の構成要素に連結されうる。実施例により、前記表示装置５６０は、前記入出力装置５４０に含まれうる。上述したように、前記表示装置５６０は、表示領域の縁の一部に対するデータスパイダーラインが、連結ラインを介して、データラインと連結される構造を有することで、表示装置の縁Ｌカット部(図４など参照)の非表示領域であるベゼル幅を減らすことができる。また、シールド電極によって、前記連結ラインが他の信号配線から遮蔽される。但し、これについては、前述しているので、それに関する重複する説明は、省略することにする。
【産業上の利用可能性】
【０１１３】
本発明は、有機発光表示装置及びこれを含む多様な電子機器に適用可能である。例えば、本発明は、携帯電話、スマートフォン、ビデオフォン、スマートパッド、スマートウォッチ、タブレットＰＣ、車両用ナビゲーション、テレビ、コンピュータモニタ、ノート型パソコン、ヘッドマウントディスプレイなどに適用可能である。
【０１１４】
以上では、本発明の例示的な実施例を参照して説明したが、該当技術の分野における通常の知識を有する者であれば、下記の特許請求の範囲に記載された本発明の思想及び領域から逸脱しない範囲内で、本発明を様々に修正及び変更できることを理解されるだろう。
【符号の説明】
【０１１５】
１００: ベース基板
１１０: バッファ層
１２０: 第１のゲート絶縁層
１３０: 第２のゲート絶縁層
１４０: 層間絶縁層
１６０: 第１の絶縁層
１７０: 第２の絶縁層
１８０: 発光構造物
ＴＦＴ: 薄膜トランジスタ
ＣＬ: 連結ライン
ＤＬ: データライン
【図１】
2021530746.tif 000003
【図２】
2021530746.tif 000004
【図３】
2021530746.tif 000005
【図４】
2021530746.tif 000006
【図５】
2021530746.tif 000007
【図６】
2021530746.tif 000008
【図７】
2021530746.tif 000009
【図８】
2021530746.tif 000010
【図９】
2021530746.tif 000011
【図１０】
2021530746.tif 000012
【図１１】
2021530746.tif 000013
【図１２】
2021530746.tif 000014
【図１３】
2021530746.tif 000015
【図１４】
2021530746.tif 000016
【図１５】
2021530746.tif 000017
【図１６】
2021530746.tif 000018
【図１７ａ】
2021530746.tif 000019
【図１７ｂ】
2021530746.tif 000020
【国際調査報告】
2021530746.tif 000021
2021530746.tif 000022
2021530746.tif 000023
2021530746.tif 000024